(57)【特許請求の範囲】
【請求項１】
水質浄化用カートリッジ１０３を交換可能に収容した把持部１０１と、この把持部１０１の先端に一体に形成され、ストレート吐出口２１およびシャワー吐出口２２を備えた頭部１０２とを有する浄水機能付きシャワーヘッドであって、
上記把持部１０１内部から頭部１０２内部にかけて、原水が通過する原水流路と、この原水流路の途中から分岐して上記水質浄化用カートリッジ１０３を透過した浄水が通過する浄水流路とを備え、
頭部１０２には、その内部に固定された固定仕切部材５１と、この固定仕切部材５１から下方に突設した軸部材６２に軸支され、上面が固定仕切部材５１の下面に接して回動可能な回動部材５２とからなる切換弁１０５を設け、
上記固定仕切部材５１には上記軸部材６２からの距離が相違する原水流路の原水流出口６４、および浄水流路の浄水流出口６３を下面に各別に穿通し、
上記回動部材５２には、上記軸部材６２からの距離が上記原水流出口６４に等しい半径上の上面に設けた２箇所の開口８１、８２のうちの一方をストレート吐出口２１に連通する原水ストレート流路と、他方をシャワー吐出口２２に連通する原水シャワー流路とを設け、さらに上記軸部材６２からの距離が上記浄水流出口６３に等しい半径上の上面に設けた２箇所の開口８５、８６のうちの一方をストレート吐出口２１に連通する浄水ストレート流路と、他方をシャワー吐出口２２に連通する浄水シャワー流路とを設け、
上記回動部材５２の回動操作により、原水または浄水のいずれかを、ストレート吐出口２１またはシャワー吐出口２２のいずれかから吐出可能に形成したことを特徴とする浄水機能付きシャワーヘッド。
【発明の詳細な説明】
【技術分野】
【０００１】
本発明は、台所または厨房、洗面所あるいは風呂場等で用いられ、使用時に吐出する水および／または湯を浄化する能力を具備した浄水機能付きシャワーヘッドに関する。
【背景技術】
【０００２】
従来、洗面所あるいは風呂場等で用いられる洗面装置やシャワー装置等に取り付けられ、水および／または湯の水質浄化能力を具備したシャワーヘッドには、例えば登録実用新案公報第 3007614号記載の塩素除去シャワーヘッドがあった。この塩素除去シャワーヘッドでは、本体内に水質を浄化するための水質浄化用カートリッジと、シャワー吐出する湯水を浄化水または原水に切り換えるための流路切換弁とが収容されている。
【０００３】
〔従来技術の問題点〕
このような従来の塩素除去シャワーヘッドにおいては、シャワーヘッドの本体内に収容される流路切換弁が、水質浄化用カートリッジが収容された位置の上流側に配置されているため、水質浄化用カートリッジが把持部に収容されているものでは、流路切換弁の収容容積が小さくなり、流路切換弁を収容部に合わせて小さく形成しなければならず、その形状、構造等も制約され、しかも製造が難しくなる、また、水質浄化用カートリッジが頭部に収容されているものでは、胴部に比較して頭部が重くなり、シャワーヘッドの重量バランスが悪くなって、扱いにくいものとなるという問題点があった。
【発明の開示】
【発明が解決しようとする課題】
【０００４】
本発明は、従来の技術における前記問題点を解消するためのものであり、この解決のため具体的に設定した課題は、切換弁の形状、構造および収容容積等の制約を緩めるとともに重量バランスの良い形状および構造にすることができる浄水機能付きシャワーヘッドを提供することにある。
【課題を解決するための手段】
【０００５】
前記課題を効果的に解決できるよう具体的に構成された手段としての、本発明における請求項１に係る浄水機能付きシャワーヘッドは、水質浄化用カートリッジを交換可能に収容した把持部と、この把持部の先端に一体に形成され、ストレート吐出口およびシャワー吐出口を備えた頭部とを有する浄水機能付きシャワーヘッドであって、上記把持部内部から頭部内部にかけて、原水が通過する原水流路と、この原水流路の途中から分岐して上記水質浄化用カートリッジを透過した浄水が通過する浄水流路とを備え、頭部には、その内部に固定された固定仕切部材と、この固定仕切部材から下方に突設した軸部材に軸支され、上面が固定仕切部材の下面に接して回動可能な回動部材とからなる切換弁を設け、上記固定仕切部材には上記軸部材からの距離が相違する原水流路の原水流出口、および浄水流路の浄水流出口を下面に各別に穿通し、上記回動部材には、上記軸部材からの距離が上記原水流出口に等しい半径上の上面に設けた２箇所の開口のうちの一方をストレート吐出口に連通する原水ストレート流路と、他方をシャワー吐出口に連通する原水シャワー流路とを設け、さらに上記軸部材からの距離が上記浄水流出口に等しい半径上の上面に設けた２箇所の開口のうちの一方をストレート吐出口に連通する浄水ストレート流路と、他方をシャワー吐出口に連通する浄水シャワー流路とを設け、上記回動部材の回動操作により、原水または浄水のいずれかを、ストレート吐出口またはシャワー吐出口のいずれかから吐出可能に形成したことを特徴とする。
【発明の効果】
【０００６】
以上のように本発明の請求項１に係る浄水機能付きシャワーヘッドは、切換弁の形状および構造を簡素化でき、収容容積の制約を緩和することができる。また、水質の切換および吐出の選択が容易となり、しかも重量バランスの良い多機能切換型の浄水機能付きシャワーヘッドを得ることができる。
【発明を実施するための最良の形態】
【０００７】
本発明における以下の実施の形態では、流路切換と吐出切換とを同一の切換弁によって行う場合について説明する。なお、この実施の形態は、発明の趣旨をより良く理解させるため具体的に説明するものであり、特に指定のない限り、発明内容を限定するものではない。
【０００８】
〔構成〕
この実施の形態における浄水機能付きシャワーヘッドは、水、湯または湯水混合水（以下、単に混合水という）を吐出する混合水栓を有する台所の流しで使用されるもので、図１，２に示すように、外観上は操作部として特別な突出部分がなく、一見、操作部が設けられていないかのような形状に形成されており、頭部のシャワー吐出面側の端部を操作することによって原水と浄水との流路切換ならびにストレートとシャワーとの吐出状態の切換を同一回動式操作部を操作することによって行えるようにした回動式の切換弁を組み込んだ構成にしている。
【０００９】
この浄水機能付きシャワーヘッド１００は、水質浄化用カートリッジ（図示せず）を交換可能に収容したシャワーヘッドとして利用できるようにするため、筒部１１と筒部１２とに分離できるように形成するとともに混合水栓のホースに螺合するためのねじ１４を設けた端部１３を形成した把持部１０１と、この把持部１０１のホース取付側とは反対側の端部にストレート吐出口２１およびシャワー吐出口２２を一体的に設けた頭部１０２とを備える。
【００１０】
把持部１０１は、中間部で頭部１０２側に一体化した筒部１１とホース取付側の筒部１２とに分け、これらを着脱自在かつ一体的に組み合わせることができるようにする中継用ねじ部１５を設け、この中継用ねじ部１５の螺合を解除して筒部１１と筒部１２を分離することにより、把持部１０１の内部に水質浄化用カートリッジ１０３（図３，４参照）を収容することができるようにする。
【００１１】
頭部１０２には、中央部にストレート吐出口２１を形成し、その周囲を取り囲むようにシャワー吐出口２２を形成し、そのシャワー吐出口２２を形成する部材の周縁を立ち上がらせて、吐出口を回動するための操作部として利用する外周側下端部２３を形成する。
【００１２】
浄水機能付きシャワーヘッド１００は、図３，４に示すように、把持部１０１の内部に水質浄化用カートリッジ１０３を収容する。この水質浄化用カートリッジ１０３を収容した把持部１０１では、水質浄化用カートリッジ１０３の外周側流路３１を原水流路の一部とし、水質浄化用カートリッジ１０３の中央空間部３２を浄水流路の一部として利用する。
【００１３】
水質浄化用カートリッジ１０３は、中心軸と同心的に孔（中央空間部３２）を設けて円筒状に形成した水質浄化材３４と、その下流側に不織布、スポンジまたは網等からなるフィルタ３５，３６に挟持されて配設された粒状あるいはペレット状の殺菌セラミック３７とを、３つに分割したキャップ４１，４２，４３によって形成される２つの空間にそれぞれ収容したものである。
【００１４】
そして、周壁にスリットを多数設けた有底円筒形状に形成したキャップ４１と、円筒形状の中央部に流体通路となる孔を穿設した軸方向に垂直な面の水質浄化材支持壁を有して各端部に他のキャップ４１，４３との嵌合部を形成したキャップ４２とにより形成される空間に、水質浄化材３４を収容する。
【００１５】
また、キャップ４２は異径の２つの円筒を中心軸に対して垂直な壁面により接続し、２つの円筒のうち大径側の円筒にキャップ４２との嵌合部を形成し、小径側の円筒には頭部１０２側に設けた（後述の）カートリッジ受け４４との嵌合部を形成したキャップ４３により形成された、大径側の円筒の内部空間に、フィルタ３５，３６に挟持された殺菌セラミック３７を収容する。
【００１６】
キャップ４１とキャップ４２が形成する空間に収容される水質浄化材３４は、活性炭を主成分とし、円筒状に固めたもので、この円筒状の外周面と中心孔との間を混合水が透過する時に、水中に溶解した化学成分や浮遊している微細な固形物質が吸着または濾過される。
【００１７】
また、キャップ４３の大径側の円筒内に収容される殺菌セラミック３７は、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。
【００１８】
把持部１０１の筒部１１の内部には、水質浄化用カートリッジ１０３の先端部（キャップ４３の小径側の端部）を差し込み、固定するための円筒状のカートリッジ受け４４を頭部１０２側の表面から突設する。このカートリッジ受け４４に水質浄化用カートリッジ１０３のキャップ４３の小径側の端部を差し込むことにより、水質浄化用カートリッジ１０３が位置固定される。キャップ４３の小径側の端部には周面にＯリング４５が周設され、端部がカートリッジ受け４４に差し込まれた場合にカートリッジ受け４４の内周面に密接するＯリング４５により漏れが止められる。
【００１９】
そして、カートリッジ受け４４の外周側流路４６が、水質浄化用カートリッジ１０３の外周側流路３１と連通して把持部１０１内の原水流路として利用され、さらにカートリッジ受け４４の内面側流路４７が水質浄化用カートリッジ１０３の中央空間部３２と殺菌セラミック３７を介して連通することにより把持部１０１内の浄水流路として利用される。
【００２０】
これにより、浄水吐出の場合には、把持部１０１内に流入した混合水が、水質浄化用カートリッジ１０３の外周側流路３１から水質浄化用カートリッジ１０３の水質浄化材３４を通過して水質を浄化し、水質浄化材３４の中央空間部３２に流出して引き続きフィルタ３６、殺菌セラミック３７、フィルタ３５を通過して殺菌または滅菌して水質を無害化し、その後、カートリッジ受け４４の内面側流路４７を介して頭部１０２側に流出し、頭部１０２から外部へ吐出する。
【００２１】
また、原水吐出の場合には、水質浄化用カートリッジ１０３の外周側流路３１を通過し、カートリッジ受け４４の外周側流路４６を介して頭部１０２側に流出し、頭部１０２から外部へ吐出する。この原水吐出の場合には、混合水が水質浄化用カートリッジ１０３の外周側流路３１を通過するため、浄水吐出時に蓄積された水質浄化材表面に付着した目詰まりを引き起こすような微細な固形物質等を洗い流し、浄化吐出時に目詰りしにくくし、水質浄化材３４の浄化能力を高レベルに維持するとともに寿命を長くする。
【００２２】
特に、湯を原水吐出する場合には、湯温が高温であるほど、水質浄化材３４の主成分である活性炭から、浄水吐出時に吸着したトリハロメタンや金属イオン等を放出させて、効果的に除去することができ、活性炭の再生効果を高めることができる。
【００２３】
頭部１０２の内部には、図３〜６に示すように、略上半部には把持部１０１内の原水流路と接続する頭部１０２内の原水流路２４、および、把持部１０１内の浄水流路と接続する頭部１０２内の浄水流路２５が形成され、その略下半部にはシャワー吐出口２２の外周側下端部２３を操作部として利用する回動式の切換弁１０５が組み込まれる。
【００２４】
回動式の切換弁１０５は、頭部１０２に固着される固定仕切部材５１と、この固定仕切部材５１に回動自在に組付けた回動部材５２とからなり、回動部材５２に設けられた外周側下端部２３を操作することによって、原水と浄水との流路切換ならびにストレートとシャワーとの吐出切換を行わせることができるようにする。
【００２５】
固定仕切部材５１は、頭部１０２内に固着し、原水と浄水との流路を仕切るとともに原水と浄水との吐出流路側への流出口を各別に穿設し、回動部材５２側に設けた各流入口との間で回動部材５２の回動に従って組み合わされ、吐出水と吐出流路との所定の組合せが選択される。この固定仕切部材５１は、円盤状の仕切板６１の中央部に突出貫通した軸部材６２と、この軸部材６２を含めた径方向の直線上に軸部材６２に対して同一方向に並べて配置した浄水流出口６３と原水流出口６４とを穿設し、回動部材５２が所定の位置に回動されたときにクリック感を与えるとともに位置ずれを起こさないように位置固定する突起収容部６５を突設する。
【００２６】
浄水流出口６３と原水流出口６４とには、それぞれ、ばね６６に付勢されて回動部材５２に当接し、回動部材５２側の各開口との間の間隙を大きく開けないようにする開口当接部材６７を内蔵する。また、突起収容部６５には、ばね６８に付勢された係止部材６９を収容して、回動部材５２の回動時における回動部材５２側に設けられた各凹部８８（図１３参照）への係止部材６９の落ち込みによるクリック感を与えるとともに、固定仕切部材５１と回動部材５２とが相対的に位置ずれしないように位置固定する。
【００２７】
回動部材５２は、全体形状を両端に蓋をした浅い二重円筒形に形成し、固定仕切部材５１の浄水流出口６３または原水流出口６４から流出する混合水を、それぞれストレート吐出口２１とシャワー吐出口２２とのいずれかに導く流路を内部に形成する。
【００２８】
この回動部材５２は、固定仕切部材５１の軸部材６２に回動自在に軸着する軸着部材７１と、この軸着部材７１の下端面でストレート吐出口２１の外周側にシャワー吐出口２２を設けるシャワー吐出面を形成するとともにこのシャワー吐出面の周辺部に回動部材５２の操作部となる外周側下端部２３を形成するシャワープレート７２と、シャワープレート７２の中央部に嵌め込まれてストレート吐出口２１およびストレート吐出口２１への流路を形成するストレート吐出面形成部材７３とからなる。
【００２９】
そして、この回動部材５２では、固定仕切部材５１の軸部材６２に軸着する軸着部材７１の軸部材６２への嵌着部周辺にストレート吐出流路７４を形成し、そのストレート吐出流路７４の外周側に円筒状中間仕切壁７５を介してシャワー吐出流路７６を同心的に形成する。
【００３０】
ストレート吐出流路７４は、回動部材５２の軸着部材７１に設けられた嵌着部７７と円筒状中間仕切壁７５との間に形成された空間で、軸着部材７１の上壁には嵌着部７７と円筒状中間仕切壁７５との中間位置に固定仕切部材５１の浄水流出口６３の配置位置に合わせて穿設されて浄水用のストレート吐出用案内流路８３に連通する開口８１が開設され、また上壁の円筒状中間仕切壁７５よりも外側の位置には固定仕切部材５１の原水流出口６４の配置位置に合わせて穿設されて原水用のストレート吐出用案内流路８７に連通する開口８５が開設されて、浄水と原水との両方の流路として兼用されるストレート吐出用の流路を形成する。
【００３１】
このストレート吐出流路７４は、上流側では混合水が開口８１，８５からストレート吐出用案内流路８３，８７を介して流入し、下流側では接続する集合通過部２６を介してストレート吐出面形成部材７３の内部に形成された流路に流出し、この流路を経てストレート吐出口２１から吐出するようにした中間案内流路を形成する。
【００３２】
シャワー吐出流路７６は、回動部材５２の軸着部材７１に設けられた円筒状中間仕切壁７５と外周壁７８との間に形成された空間で、軸着部材７１の上壁には嵌着部７７と円筒状中間仕切壁７５との中間位置に固定仕切部材５１の浄水流出口６３の配置位置に合わせて開口８１と軸対称な位置に穿設されて浄水用のシャワー吐出用案内流路８４に連通する開口８２が開設され、また上壁の円筒状中間仕切壁７５よりも外側の位置には固定仕切部材５１の原水流出口６４の配置位置に合わせ開口８５と軸対称な位置に穿設された開口８６が開設されて、浄水と原水との両方の流路として兼用されるシャワー吐出用の流路を形成する。
【００３３】
このシャワー吐出流路７６は、上流側では原水が直に連通した開口８６から直接流入し、また浄水は開口８２からシャワー吐出用案内流路８４を介して流入し、下流側では軸着部材７１の下端に嵌着されたシャワープレート７２に穿設されたシャワー吐出口２２，…，２２から直に吐出するようにした中間案内流路を形成する。
【００３４】
切換弁１０５を収容する頭部１０２は、図７〜９に示すように、吐出側に切換弁１０５を収容する主要部が有蓋円筒形の外皮２７を形成し、この外皮２７の把持部側には筒部１１が突出し、その突出した筒部１１の内側にカートリッジ受け４４を略同心に突出し、その外皮２７の円筒中心に対して同心的に小径の薄肉円筒を頂部内面から垂下して原水流路と浄水流路とを分ける隔壁２８を形成し、その隔壁２８の周面に一端を結合してカートリッジ受け４４から隔壁２８までの間を連通する中継隔壁２９を形成する。
【００３５】
隔壁２８の内側は中継隔壁２９を介してカートリッジ受け４４の内面側流路４７と連通した浄水流路となり、外側がカートリッジ受け４４の外周側流路４６と連通する原水流路となる。隔壁２８の下側には切換弁１０５の固定仕切部材５１が嵌着して頭部１０２を密封し、頭部１０２に流入した混合水を切換弁１０５の動作に従い原水と浄水のいずれかをストレート吐出口２１かシャワー吐出口２２のいずれかより吐出する。
【００３６】
固定仕切部材５１は、図１０〜１２に示すように、仕切板６１の端縁に頭部１０２への嵌合用の浅い円筒部６１ａを軸方向に立設し、仕切板６１には中央部に貫通した有底円柱状の軸部材６２を軸方向に突出し、その軸部材６２の下流側の端面に軸方向に深く孔６２ａを穿設し、仕切板６１の上流側の面には軸部材６２の突出位置から径方向外側に浄水流出口６３を設け、軸部材６２と浄水流出口６３とを含む直線上にあって軸部材６２に対し浄水流出口６３と同一側で端縁近傍に寄った位置に原水流出口６４を穿設し、さらに軸部材６２と流出口６３，６４とを含む直線上にあって軸部材６２に対し流出口６３，６４とは反対側に突起収容部６５を突出し、仕切板６１の上流側の面には軸部材６２と同心的に頭部１０２の隔壁２８に内嵌する原水流路と浄水流路との隔壁６１ｂを立設する。
【００３７】
流出口６３，６４の下流側には軸部材６２の軸に平行で深い孔６３ａ，６４ａを流出口６３，６４と同心的に穿設し、それぞれの孔６３ａ，６４ａにばね６６により下流側に付勢された開口当接部材６７（図５参照）を収容できるようにする。また、突起収容部６５の下端面から軸方向に平行で深い孔６５ａを穿設してばね６８と係止部材６９（図５参照）を収容できるようにする。
【００３８】
回動部材５２の軸着部材７１は、図１３〜１６に示すように、上面側には固定仕切部材５１の仕切板下面側に対面する平円板７９を形成し、この平円板７９の外周端には下面側に向けて略円筒状の外周壁７８を垂下し、その外周壁７８の下端部をシャワープレート７２が外嵌できる外径に調整するとともに漏止め用のＯリングを外嵌するＯリング溝７８ａを刻設し、平円板７９の下面側には中心部に固定仕切部材５１の軸部材６２に外嵌する嵌着部７７と、この嵌着部７７と略同心で直径を大きくしストレート吐出面形成部材７３を下端に螺合するとともにストレート吐出用とシャワー吐出用の流路を隔離する隔壁となる円筒状中間仕切壁７５とを垂下する。
【００３９】
平円板７９の中心部に設ける嵌着部７７には、平円板７９側に固定仕切部材５１の軸部材６２に外嵌する嵌着部７７の内径と同一径の孔７７ａを穿設して内径側を貫通し、軸部材６２を軸として回動できるようにする。この嵌着部７７の外周側に設けた円筒状中間仕切壁７５は、下端部の内径側に雌ねじ７５ａを形成してストレート吐出面形成部材７３を螺合できるようにし、外周面にはシャワープレート７２を嵌合するときの軸方向への位置規制用ストッパとなる突出部７５ｂを周設し、この突出部７５ｂの周上の一か所に矩形状の切欠き部７５ｃを設けて、嵌合したシャワープレート７２の回止めを係合することができるようにする。
【００４０】
平円板７９の孔７７ａを穿設した位置のまわりには、平円板７９の中心を通る直線上で固定仕切部材５１の浄水流出口６３の穿設位置と中心からの径方向位置が略同一になる位置に、浄水用のストレート吐出流路への開口８１とシャワー吐出流路への開口８２とを中心に対する軸対称位置に穿設し、その外方向に係止部材６９の先端部が係合する凹部８８，８８を固定仕切部材５１に設けられた突起収容部６５の孔６５ａの穿設位置と中心からの径方向位置が略同一になる位置にそれぞれ刻設する。
【００４１】
孔７７ａと各開口８１，８２の中心を通る直線に対して垂直な直線上で固定仕切部材５１の原水流出口６４の穿設位置と中心からの径方向位置が略同一になる位置に、原水用のストレート吐出流路への開口８５とシャワー吐出流路への開口８６とを中心に対する軸対称位置に穿設し、それらの開口８５，８６の中心側に寄った位置には、固定仕切部材５１に設けられた突起収容部６５の孔６５ａの穿設位置と孔７７ａの中心からの径方向位置が略同一になる位置に、係止部材６９の先端部が係合する凹部８８，８８をそれぞれ刻設する。
【００４２】
そして、平円板７９の下面側には、開口８２とシャワー吐出流路の間を連通する浄水用のシャワー吐出用案内流路８４を形成する孔を穿設し、開口８５とストレート吐出流路７４との間を連通するストレート吐出用案内流路８７を形成する角筒状の隔壁８９を設ける。
【００４３】
頭部１０２に固定仕切部材５１と軸着部材７１を組み付けるには、固定仕切部材５１は軸部材６２に設けた孔６２ａの開口側を頭部１０２の吐出側に向け、頭部１０２内の所定位置に所定の向きで嵌着し、各流出口６３，６４の孔６３ａ，６４ａにばね６６に付勢された開口当接部材６７をそれぞれ内蔵して各流出口６３，６４と軸着部材７１側の各開口８１，８２，８５，８６との間の間隙を開けないようにし、さらに、突起収容部６５の孔６５ａには、ばね６８に付勢された係止部材６９を収容して、回動部材５２の回動時における軸着部材７１側の各凹部８８，…，８８のいずれかに係止部材６９の先端が落ち込むことによるクリック感を与えることができるようにして、固定仕切部材５１の軸部材６２に回動部材５２側の軸着部材７１を嵌着して孔６２ａに木ねじ等のねじ部品（図５参照）をねじ込むことにより、固定仕切部材５１の軸部材６２に回動部材５２の軸着部材７１を回動自在に取り付け、シャワー吐出面の中心位置を回動中心として回動できるようにする。
【００４４】
シャワープレート７２は、図１７に示すように、中央部が開口され、その開口端縁にはストレート吐出面形成部材７３を嵌め込むことができるようにするとともに円筒状中間仕切壁７５に外嵌するための内径を有する浅い円筒部７２ａを内面側に突設し、外周端には円筒部７２ａと同一方向に突出するとともに内径を軸着部材７１に設けられた外周壁７８の下端部外径に嵌合するための大きさを有する浅い円筒状の外周側下端部２３を形成し、円筒部７２ａと外周側下端部２３との間に位置する平板部７２ｂにはシャワー吐出口２２を多数個につき略均等に穿設する。
【００４５】
このシャワープレート７２の円筒部７２ａには、軸着部材７１に嵌合したときの回止め用に矩形状の突起７２ｃを上端面から突出し、円筒状中間仕切壁７５に設けられた突出部７５ｂの切欠き７５ｃに係合して回止めすることができるように形成する。円筒部７２ａの高さは円筒状中間仕切壁７５に設けられた突出部７５ｂに当接するまでに必要な寸法以下であれば良く、また、外周側下端部２３の高さは嵌合する相手部材の嵌合位置における高さに応じて規定し、その範囲で頭部１０２の外皮２７の下端に当接しないで済む寸法にする。
【００４６】
集合通過部２６は、図１８に示すように、有底円筒の底板部２６ａに外周側の下端部が外部と部分的に貫通する多数の光芒を有する環状の溝２６ｂを軸方向に深く刻設し、底板部２６ａの側方を円筒部の外径よりも小さく形成して、溝２６ｂの側方を開口した形状に形成する。この集合通過部２６の外形は上部に浅い円筒部２６ｃを有し、この円筒部２６ｃをストッパとしてストレート吐出面形成部材７３の集合通過部嵌合箇所に嵌め込むことができる外径に形成し、底板部２６ａの下方に突出した中央部を集合通過部嵌合箇所に形成されている下方に縮径するコーン部９１ｃ（図１９参照）に位置するように軸方向の寸法を調節する。
【００４７】
ストレート吐出面形成部材７３は、上下に分割できるように形成している。ストレート吐出面形成部材７３の分割上部を形成する入口部材９１は、図１９に示すように、集合通過部２６を内嵌する上端に孔あき円板を設けた鍔付き円筒形に形成した部材とし、分割下部を形成する出口部材９２は、図２０に示すように、下端部に環状円板を突設した二重円筒に形成した部材としている。
【００４８】
入口部材９１は、図１９に示すように、円板部９１ａの中央部にストレート吐出口２１側へ流出させるための開口部９１ｂを設け、その開口部９１ｂを集合通過部２６を嵌合する嵌合孔として利用し、その開口部９１ｂは段違いに形成されて径の大きい方は一定の内径を有し、径の小さい方はストレート吐出口２１への流路に向かって縮径するコーン部９１ｃを形成して、嵌合した集合通過部２６から流出する混合水を中心部に向かって集中させるように形成する。また、下端には周上等間隔８か所に切欠き部９１ｄ，…，９１ｄを刻設する。この入口部材９１の開口部９１ｂに集合通過部２６を嵌合すると、集合通過部２６の開口から溝２６ｂを経て径方向外方へ流出する混合水を、入口部材９１のコーン部９１ｃによって流出方向を規制され、中心方向へ集中して流出するようになる。
【００４９】
出口部材９２は、図２０に示すように、下端部に環状円板９２ａを突設した外側円筒部９２ｂとその内側に設けた内側円筒部９２ｃとにより二重円筒部９２ｄを形成し、内側円筒部９２ｃの下端に円筒部内径よりも縮径したストレート吐出口２１を形成し、外側円筒部９２ｂと内側円筒部９２ｃとの間に形成された間隙を出口部材９２の外面側から内面側への通気路９２ｅとして利用する。
【００５０】
外側円筒部９２ｂと内側円筒部９２ｃとの間には複数のリブ９２ｆ，…，９２ｆを介装して外側円筒部９２ｂと内側円筒部９２ｃとを一体に結合する。外側円筒部９２ｂの外周面には雄ねじ９２ｇを設けて軸着部材７１に設けた雌ねじ７５ａに螺合できるようにする。内側円筒部９２ｃの上端面は軸心に対して垂直な平面に形成し、入口部材９１の下端が当接して切欠き部９１ｄ，…，９１ｄの開口端を閉じたときに、出口部材９２の外面側の通気路９２ｅから内面側のストレート吐出流路へ自由に気体が流れるようにするための通気口として形成する。
【００５１】
〔作用効果〕
このような外周側下端部２３を操作部とした回動式の切換弁１０５では、操作部の回動位置により、中央部のストレート吐出口２１と、このストレート吐出口２１の周囲に配置されたシャワー吐出口２２から、原水と浄水とのいずれかを選択的に吐出できるように形成されている。すなわち、
【００５２】
浄水のストレート吐出を選択した場合には、図５，６に示すように、固定仕切部材５１の浄水流出口６３が穿設されている位置に回動部材５２の軸着部材７１に穿設された開口８１が位置するとともに係止部材６９が凹部８８に係合して位置固定するため、水質浄化用カートリッジ１０３により浄化され、カートリッジ受け４４の内面側流路４７から頭部１０２内の浄水流路２５を経て固定仕切部材５１の浄水用の空間内に開口した浄水流出口６３に達した混合水は、回動部材５２の軸着部材７１に穿設された開口８１から軸着部材７１内に流入して、ストレート吐出用案内流路８３からストレート吐出流路７４を経て集合通過部２６に到達し、この集合通過部２６を介して出口部材９２の内側円筒部９２ｃ内に流入してストレート吐出口２１から吐出する。
【００５３】
浄水のストレート吐出位置から 180度回動して、浄水のシャワー吐出を選択した場合には、図２１，２２に示すように、固定仕切部材５１の浄水流出口６３が穿設されている位置に回動部材５２の軸着部材７１に穿設された開口８２が位置するとともに係止部材６９が凹部８８に係合して位置固定するため、水質浄化用カートリッジ１０３により浄化され、カートリッジ受け４４の内面側流路４７から頭部１０２内の浄水流路２５を経て固定仕切部材５１の浄水用の空間内に開口した浄水流出口６３に達した混合水は、回動部材５２の軸着部材７１に穿設された開口８２から軸着部材７１内に流入して、シャワー吐出用案内流路８４からシャワー吐出流路７６を経てシャワー吐出口２２から吐出する。
【００５４】
また、浄水のストレート吐出位置から 90 度反時計回りの方向に回動するか、浄水のシャワー吐出位置から 90 度時計回りの方向に回動して、原水のストレート吐出を選択した場合には、図２３，２４に示すように、固定仕切部材５１の原水流出口６４が穿設されている位置に回動部材５２の軸着部材７１に穿設された開口８５が位置するとともに係止部材６９が凹部８８に係合して位置固定するため、水質浄化用カートリッジ１０３の外周側流路３１を通過してカートリッジ受け４４の外周側流路４６から頭部１０２内の原水流路２４を経て固定仕切部材５１の原水用の空間内に開口した原水流出口６４に達した混合水は、回動部材５２の軸着部材７１に穿設された開口８５から軸着部材７１内に流入して、ストレート吐出用案内流路８７からストレート吐出流路７４を経て集合通過部２６に到達し、この集合通過部２６を介して出口部材９２の内側円筒部９２ｃ内に流入してストレート吐出口２１から吐出する。
【００５５】
原水のストレート吐出位置から 180度回動して、原水のシャワー吐出を選択した場合には、図２５，２６に示すように、固定仕切部材５１の原水流出口６４が穿設されている位置に回動部材５２の軸着部材７１に穿設された開口８６が位置するとともに係止部材６９が凹部８８に係合して位置固定するため、水質浄化用カートリッジ１０３の外周側流路３１を通過してカートリッジ受け４４の外周側流路４６から頭部１０２内の原水流路２４を経て固定仕切部材５１の原水用の空間内に開口した原水流出口６４に達した混合水は、回動部材５２の軸着部材７１に穿設された開口８６から軸着部材７１内に流入して、直接、シャワー吐出流路７６に流入し、このシャワー吐出流路７６を経てシャワー吐出口２２から吐出する。
【図面の簡単な説明】
【００５６】
【図１】本発明の実施の形態における浄水機能付きシャワーヘッドの外観を示す平面図である。
【図２】同上浄水機能付きシャワーヘッドの外観を示す側面図である。
【図３】同上浄水機能付きシャワーヘッドを示す平面断面（Ｂ−Ｂ矢視）図である。
【図４】同上浄水機能付きシャワーヘッドを示す側面断面（Ａ−Ａ矢視）図である。
【図５】同上浄水機能付きシャワーヘッドの浄水ストレート吐出時における頭部を拡大して示す側面断面図である。
【図６】同上浄水機能付きシャワーヘッドの浄水ストレート吐出時における頭部を拡大して示す平面断面（Ｃ−Ｃ矢視）図である。
【図７】同上浄水機能付きシャワーヘッドにおける頭部単体を拡大して示す平面断面（Ｊ−Ｊ矢視）図である。
【図８】同上浄水機能付きシャワーヘッドにおける頭部単体を拡大して示す側面断面（Ｋ−Ｋ矢視）図である。
【図９】同上浄水機能付きシャワーヘッドにおける頭部単体を拡大して示す正面断面（Ｌ−Ｌ矢視）図である。
【図１０】同上浄水機能付きシャワーヘッドにおける固定仕切部材を拡大して示す上平面図である。
【図１１】同上浄水機能付きシャワーヘッドにおける固定仕切部材を拡大して示す縦面図である。
【図１２】同上浄水機能付きシャワーヘッドにおける固定仕切部材を拡大して示す下平面図である。
【図１３】同上浄水機能付きシャワーヘッドにおける回動部材の軸着部材を拡大して示す上平面図である。
【図１４】同上浄水機能付きシャワーヘッドにおける回動部材の軸着部材を拡大して示す側面断面（Ｍ−Ｍ矢視）図である。
【図１５】同上浄水機能付きシャワーヘッドにおける回動部材の軸着部材を拡大して示す下平面図である。
【図１６】同上浄水機能付きシャワーヘッドにおける回動部材の軸着部材を拡大して示す側面断面（Ｎ−Ｎ矢視）図である。
【図１７】同上浄水機能付きシャワーヘッドにおけるシャワープレートを拡大して示す説明図であり、（Ａ）は縦断面図、（Ｂ）は平面図である。
【図１８】同上浄水機能付きシャワーヘッドにおける集合通過部を拡大して示す説明図であり、（Ａ）は縦断面図、（Ｂ）は上平面図、（Ｃ）は下平面図である。
【図１９】同上浄水機能付きシャワーヘッドにおける入口部材を拡大して示す説明図であり、（Ａ）は縦断面図、（Ｂ）は上平面図、（Ｃ）は下平面図である。
【図２０】同上浄水機能付きシャワーヘッドにおける出口部材を拡大して示す説明図であり、（Ａ）は縦断面図、（Ｂ）は下平面図である。
【図２１】同上浄水機能付きシャワーヘッドの浄水シャワー吐出時における頭部を拡大して示す側面断面図である。
【図２２】同上浄水機能付きシャワーヘッドの浄水シャワー吐出時における頭部を拡大して示す平面断面（Ｏ−Ｏ矢視）図である。
【図２３】同上浄水機能付きシャワーヘッドの原水ストレート吐出時における頭部を拡大して示す側面断面図である。
【図２４】同上浄水機能付きシャワーヘッドの原水ストレート吐出時における頭部を拡大して示す平面断面（Ｐ−Ｐ矢視）図である。
【図２５】同上浄水機能付きシャワーヘッドの原水シャワー吐出時における頭部を拡大して示す側面断面図である。
【図２６】同上浄水機能付きシャワーヘッドの原水シャワー吐出時における頭部を拡大して示す平面断面（Ｑ−Ｑ矢視）図である。
【符号の説明】
【００５７】
１１，１２ 筒部
２１ ストレート吐出口
２２ シャワー吐出口
３１ （水質浄化用カートリッジの）外周側流路
３２ 中央空間部
３４ 水質浄化材
３５，３６ フィルタ
３７ 殺菌セラミック
４１，４２，４３ キャップ
４４ カートリッジ受け
４６ （カートリッジ受けの）外周側流路
４７ （カートリッジ受けの）内面側流路
５１ 固定仕切部材
５２ 回動部材
６１ 仕切板
６２ 軸部材
６３ 浄水流出口
６４ 原水流出口
６５ 突起収容部
６６ ばね
６７ 開口当接部材
６８ ばね
６９ 係止部材
７１ 軸着部材
７２ シャワープレート
７３ ストレート吐出面形成部材
７４ ストレート吐出流路
７５ 円筒状中間仕切壁
７５ａ 雌ねじ
７６ シャワー吐出流路
７７ 嵌着部
７７ａ 孔
７８ 外周壁
７９ 平円板
８１，８２，８５，８６ 開口
８４ シャワー吐出用案内流路
８７ ストレート吐出用案内流路
８８ 凹部
８９ 隔壁
９１ 入口部材
９１ａ 円板部
９１ｂ 開口部
９１ｃ コーン部
９１ｄ 切欠き部
９２ 出口部材
９２ａ 環状円板
９２ｂ 外側円筒部
９２ｃ 内側円筒部
９２ｄ 二重円筒部
９２ｅ 通気路
９２ｆ リブ
９２ｇ 雄ねじ
１００ 浄水機能付きシャワーヘッド
１０１ 把持部
１０２ 頭部
１０３ 水質浄化用カートリッジ
１０５ 切換弁
【図１】
0004713624.tif 000002
【図２】
0004713624.tif 000003
【図３】
0004713624.tif 000004
【図４】
0004713624.tif 000005
【図５】
0004713624.tif 000006
【図６】
0004713624.tif 000007
【図７】
0004713624.tif 000008
【図８】
0004713624.tif 000009
【図９】
0004713624.tif 000010
【図１０】
0004713624.tif 000011
【図１１】
0004713624.tif 000012
【図１２】
0004713624.tif 000013
【図１３】
0004713624.tif 000014
【図１４】
0004713624.tif 000015
【図１５】
0004713624.tif 000016
【図１６】
0004713624.tif 000017
【図１７】
0004713624.tif 000018
【図１８】
0004713624.tif 000019
【図１９】
0004713624.tif 000020
【図２０】
0004713624.tif 000021
【図２１】
0004713624.tif 000022
【図２２】
0004713624.tif 000023
【図２３】
0004713624.tif 000024
【図２４】
0004713624.tif 000025
【図２５】
0004713624.tif 000026
【図２６】
0004713624.tif 000027